(57)【要約】【課題】  不十分に把持する危険を無くした人用リフト装置を提供する。【解決手段】  人の胸部１２の両側に圧力を加えることによって、人を把持する１対のカップ１、２と、人の体重の作用によりカップを相互に接近するように動かす移動手段とを具える人のリフト装置である。カップ１、２は移動手段に傾動可能に取り付けられており、また使用中、各カップ１、２は人の胸部１２の両側のうちの一方に沿って、ほぼ水平方向に延在する傾動軸線Ａ、Ｂと、人の胸部１２の両側のうちの一方に接触する接触表面を有する。各カップの接触表面の少なくとも一部が人の胸部に関し、各カップの傾動軸線Ａ、Ｂの背後に、即ち外側に設置されている。【選択図】図１
2004351201.tif 000002
【特許請求の範囲】
【請求項１】
人の胸部（１２）の両側に圧力を加えることによって、人を把持するための１対のカップ（１、２）と、人の体重の作用を受けて、前記カップを相互に接近するように動かす移動手段とを具え、前記カップ（１、２）は前記移動手段に傾くことができるように取り付けられており、各カップ（１、２）は使用中、人の胸部（１２）の両側のうちの一方に沿って、ほぼ水平方向に延在する傾動軸線（Ａ、Ｂ）を有し、更に各カップ（１、２）は人の胸部（１２）の両側のうちの一方に接触する接触表面を有する人のリフト装置において、各カップ（１、２）の接触表面の少なくとも一部が前記人の胸部に対して、各カップの前記傾動軸線（Ａ、Ｂ）の背後に、設置されていることを特徴とする人のリフト装置。
【請求項２】
使用中、人の胸部の側部に前記カップによって加わる圧力が前記接触表面の前記一部の所定の領域（１５）内に、着力点（ｄ）の合力（Ｒ）を有し、前記所定の領域が前記接触表面の中心に、又は前記接触表面の下半分にあるように、前記接触表面に対する前記傾動軸線（Ａ、Ｂ）の位置を選択したことを特徴とする請求項１の装置。
【請求項３】
各カップ（１、２）の前記接触表面は凹形であり、前記カップが中立の垂直位置にある場合、前記傾動軸線が前記カップの前記接触表面に関し、ほぼ中心に延在していることを特徴とする請求項１、又は２の装置。
【請求項４】
前記所定の領域（１５）と前記傾動軸線（Ａ）との間の距離は0.5 ｃｍ〜５ｃｍであることを特徴とする請求項２、又は３の装置。
【請求項５】
各前記カップ（１、２）は上半分と、下半分とから成り、使用中、人の胸部（１２）の側部に前記カップ（１、２）によって加えられる圧力の少なくとも半分が前記下半分に位置するように、各前記カップの前記接触表面に対する前記傾動軸線（Ａ、Ｂ）の位置を選択したことを特徴とする請求項１〜４のいずれか１項の装置。
【請求項６】
前記移動手段は１対のアーム（３、４）を具え、各前記アームの下端（５、６）には前記カップ（１、２）の１個が傾動できるように取り付けられており、前記アームは前記カップの上方にある枢着点（１０）に、相互に枢着されており、前記アームの上端（７、８）は前記枢着点（１０）を越えて延びており、前記アームはその上端（７、８）によって懸垂部（１１）から懸垂されていることを特徴とする前記請求項のいずれか１項の装置。
【請求項７】
各前記アーム（３、４）には人の脚を支持する脚支持体（１３、１４）を設けたことを特徴とする請求項６の装置。
【請求項８】
前記カップ（１、２）の傾動は前記カップの中立の垂直位置に対し、両方向に１５°に限定されていることを特徴とする前記請求項のいずれか１項の装置。
【発明の詳細な説明】
【技術分野】
【０００１】
本発明は人の胸部の両側に圧力を加えることによって、人を把持するための１対のカップと、人の体重の作用を受けて、カップを相互に接近するように動かす移動手段とを具え、カップは移動手段に傾くことができるように取り付けられており、各カップは使用中、人の胸部の両側のうちの一方に沿って、ほぼ水平方向に延在する傾動軸線を有し、更に各カップは人の胸部の両側のうちの一方に接触する接触表面を有し、例えば患者、又は身体障害者のような人を吊り上げる人のリフト装置に関するものである。
【背景技術】
【０００２】
１対のカップを取り付けた１対のアームを具える人のリフト装置は特許文献１から既知である。これ等のカップは吊り上げるべき人の胸部の両側から、その人を把持するために設けられており、それに応じた形状にされている。アームはカップの上方にある枢着点に、相互に連結されており、アームの上端はこの枢着点を越えて延びており、この上部は懸垂部からアームを懸垂するのに使用されている。このようにして、いわゆる「鋏作用」を達成している。「鋏作用」とは人を吊り上げる際、人自身の体重の結果として、カップを相互に接近するように動かす作用を意味する。
【０００３】
しかし、特許文献１から既知の装置は、この装置によって、吊り上げられる人の胸部の容積が平均的な容積より大きいか、又は小さいと、その人はカップによって、不十分に把持され、その人はカップの間から落下する危険があるという欠点を有する。
【０００４】
傾動可能なカップを有する人のリフト装置は特許文献２から既知である。異なる人に対して、この装置を調整するため、希望する角度だけ、カップを傾け、次にこの角度に、カップを固定する。この種の装置は非常に多くの人を治療する公共施設に、使用されることが多い。従って、特許文献２の装置のカップの角度の調整は、しばしば、行うことが必要である。しかし、公共施設の看護人は装置の調整の困難さを常にうまく乗り越えている訳でなく、人を把持する際、カップの方向が正しくない危険がある。その結果、不十分に把持する危険がなお存在する。
【特許文献１】欧州特許公開第９４７０４号
【特許文献２】フランス特許公開第２６３６２３２号
【発明の開示】
【発明が解決しようとする課題】
【０００５】
本発明の目的は人を不十分に把持する危険を減少させることができる人のリフト装置を得るにある。
【課題を解決するための手段】
【０００６】
この目的は請求項１の特徴とするの部分に、記載された技術的特徴を有するリフト装置、即ち、各カップの接触表面の少なくとも一部が人の胸部に対して、各カップの傾動軸線の背後に、設置されていることを特徴とするリフト装置によって達成することができる。
【０００７】
先行技術の問題点を解析したところ、人の胸部にカップを好適に設置するには、カップと、カップとの間の距離次第であるであること、言い換えれば、人の胸部の幅、又は容積次第であることがわかった。細い人の場合には、カップを相互に、大きく接近するように動かすが、カップを支持しているアームの枢着連結に起因し、カップの下端縁が、上端縁よりも、相互に一層、大きく接近する。その結果、この人はカップの全体で、把持される代わりに、下端縁のみで把持されるから、カップと人との間の接触面積は非常に狭い。同様に、身体の大きい人の場合には、この人はカップの上端縁のみで、主に把持されるから、接触面積は同じように、非常に狭くなる。接触面積が狭くなるため、カップと人との間の摩擦が小さくなり、人は脇の下で吊られることになり、カップの間から滑り落ちることすらある。
【発明を実施するための最良の形態】
【０００８】
本発明リフト装置においては、傾動できるように、カップをリフト装置に取り付け、使用中、カップの傾動軸線が人の胸部の両側に沿って、ほぼ水平方向に延在するように構成する。その結果、カップが人の胸部に接触する時、カップは傾くことができ、カップは人の胸部の形状に接した状態で、その位置を調整することができる。言い換えれば、本発明リフト装置は自己調整である。これにより、胸部の形状に関係なく、カップと、人の胸部との間の接触面積を一層大きくすることができ、カップと、人との間の摩擦の量を増大し、人が脇の下で吊り上げられたり、カップの間から滑る危険を減少させることができる。更に、このことにより、本発明リフト装置を多数の人の把持に適するものにし、即ち、本発明リフト装置により、把持し得る人の範囲を増大させる。更に、カップは他の方向にも、傾けることができるようにすることができ、即ちカップは水平方向以外に、他の傾動軸線を有するようにすることができ、カップの位置、及び接触面積の大きさを更に増大し、向上させることができる。
【０００９】
更に、カップと、胸部との間の接触面積が大きくなり、カップによって胸部に加わる圧力であって、人を吊り上げるのに必要な圧力が一層広い接触面積にわたり、拡げられる利点を有する。言い換えれば、カップによって、胸部に加えられる圧力の集中度が少なくなる。その結果、把持された時、人が感ずる苦痛の危険が少なくなる。
【００１０】
使用中、カップによって、人の胸部の側部に加わる圧力がカップと、胸部との間の接触表面上の所定の領域内に、着力点を持つ合力を有するように、各カップの傾動軸線を選択するのが好適である。本発明によれば、カップと、胸部との間の接触表面に対する傾動軸線の位置は圧力の合力の着力点に関して、決定的因子であることがわかった。更に、本発明によれば、合力の着力点が接触表面の所定の領域内にあれば、不十分な把持の危険は一層減少することがわかった。要するに、カップと、胸部との間の接触表面に対して、傾動軸線の位置を適切に選択すれば、本発明リフト装置の把持作用を一層向上させることができる。
【００１１】
合力の着力点がある所定の領域がカップの接触表面のほぼ中心にあるか、又はカップの接触表面の下半分にあるように、カップに対する傾動軸線の位置を選択するのが好適である。カップによって、胸部に加わる圧力の合力の着力点がカップの接触表面の中心の領域内にあるか、又はカップの接触表面の下半分の領域内にあれば、不十分な把持の危険は最小であることがわかった。
【００１２】
カップが人の胸部の形状に補足し合うよう、凹形であるのが好適である。各カップの傾動軸線は、カップがその中立の垂直位置にあるとして、カップの接触表面に対し、ほぼ中心に延在しているのが好適である。合力の着力点が存在する接触表面の所定の領域が人の胸部に関して、傾動軸線の背後に、即ち外側にあるように、各カップの傾動軸線の位置を選択すれば、一層好適である。このことは、圧力の合力が加わる領域であって、カップと、胸部との間の接触表面の領域の前方に、即ち内方に、傾動軸線があるのが好適であることを意味する。このことは本発明リフト装置の把持を一層向上させることができることがわかった。傾動軸線と、合力の着力点の所定の領域との間の距離は0.5 ｃｍ〜５ｃｍであるのが好適であり、１ｃｍ〜３ｃｍであるのが一層好適である。
【００１３】
使用中、圧力の合力の着力点がカップのほぼ中心に加わるか、又はカップの下半分に加わるのが好適であると言う表現を言い換えるとすれば、カップによって人の胸部の側部に加わる圧力の少なくとも半分がカップの下半分にあるのが好適であると言う表現になる。上に述べたように、このことはカップの接触表面に対するカップの傾動軸線の適切な位置によって、達成することができる。
【００１４】
本発明リフト装置の好適な実施例では、リフト装置は人の体重の作用によって、カップを相互に接近するように動かすための手段を具える。このようにして、人自身の体重から生ずる圧力によって、人を把持し、吊り上げることができる。
【００１５】
カップを動かすこの手段は各カップを傾動できるように、取り付けた下端をそれぞれ有する１対のアームで構成するのが好適である。これ等のアームはカップの上方にある枢着点に、相互に枢着されていると共に、上端は枢着点を越えて延びている。これ等の上端によって、これ等のアームは懸垂部から懸垂されている。このようにして、いかなる付加的な駆動手段も必要とすること無く、人自身の体重の作用によって、カップを相互に接近するように、動かす構造を達成することができる。
【００１６】
各アームには、吊り上げるべき人の脚を支持することができる脚支持体を設けるのが好適である。吊り上げられる人の快適さを向上させ得ることに加えて、これ等の脚支持体は人の脚の重量をアームに直接、加えるから、人の胸部に作用する把持力を増大することができると言う利点も更に有する。
【００１７】
カップの傾動はその中立の垂直方向に対して、カップが傾くことができる方向に、約１５°に制限されるのが好適である。これは、人を把持している時、カップは既に殆ど、正しい位置にあると言う利点を有する。しかし、この角度の制限は一層多く、又は一層少なくすることができる。次の説明、及び図面により、本発明は一層明らかになるであろう。
【実施例】
【００１８】
図１の装置は胸部１２の両側で、人を把持するための１対のカップ１、２を具える。これ等カップは平均的な人の胸部１２の形状に補足的な凹形状であり、これ等カップは傾けることができるように、１対のアーム３、４の下端５、６に取り付けられている。これ等アームは枢着点１０で、相互に枢着されており、これ等アームの上端７、８は枢着点１０を超えて延びている。ほぼ水平に延びているのが好適な枢着軸線Ｃの周りに、アーム３、４は相互に回動することができる。例えば、壁に取り付けられた壁取付けアーム１１にアーム３、４の上端７、８を連結しているフック９、又はチェーン、又はその他の手段により、この装置は壁取付けアーム１１から懸垂されている。この懸垂された回動可能な構造に起因し、アーム３、４は人の体重の作用を受けて、カップ１、２を相互に、接近するように、動かす手段を形成している。しかし、この装置はこの分野の当業者に既知の任意他の構造にすることもできる。
【００１９】
カップ１、２はほぼ水平な軸線である傾動軸線Ａ、Ｂの周りに傾動可能である。このようにして、人を把持しようとする際、平均的な胸部の場合よりも、アーム３、４が相互に、一層少なく、又は一層多く回動することが原因で、胸部１２に対して、一方の、又は両方のカップ１、２が適切でない角度になるのをカップの対応する傾動によって、補正することができる。カップ１、２も他の軸線の周りに傾くことができるように取り付けられているので、カップ１、２は一層、角度の自由度が大きく、胸部１２に対して調整するカップの能力を一層大きくすることができる。
【００２０】
カップ１、２の最大傾き角はこれ等のカップの垂直位置に対して、両方向に、例えば１５°の角度に限定されているから、カップは最初から、既に人の胸部１２の方に指向している。この傾き角の限定は例えば、アーム３、４の内側の止め（図示せず）により、又はこの分野の当業者に既知の他の手段によって、達成することができる。
【００２１】
人の胸部１２の表面の不規則性を受け入れると共に、カップ１、２と、胸部１２との間の接触面積を拡大するため、カップ１、２には、柔らかいカバー、又は柔らかい材料の層を設けるのが好適である。この柔らかいカバー、又は柔らかい材料はこの分野の当業者に既知の任意の一つにすることができる。
【００２２】
使用中、カップによって、人の胸部１２の側部に加わる圧力がカップ１、２と胸部１２との間の接触表面の所定の領域１５（図５参照）内に、着力点ｄの合力Ｒを有するように、各カップ１、２の傾動軸線Ａ、Ｂを選択する。カップ１、２と胸部１２との間の接触表面に対する傾動軸線Ａ、Ｂの位置は圧力の合力Ｒの着力点ｄに関して、決定的な要素であることがわかった。更に、合力Ｒの着力点が接触表面の所定の領域１５内にあれば、人を不十分に把持する危険は減少することがわかった。要するに、図１の装置において、カップ１、２と胸部１２との間の接触表面に対する傾動軸線Ａ、Ｂの位置を適切に選択すれば、装置の把持作用を一層向上させることができる。
【００２３】
合力Ｒの着力点ｄが位置している各カップ１、２上の所定の領域１５がカップ１、２の接触表面のほぼ中心の領域であるか、又はこの接触表面の下半分内の領域であるように、傾動軸線Ａ、Ｂを選択する。このことは、領域１５内の着力点ｄがカップ１、２の中心より、僅か上方に、又はこの中心より、下方に延在しており、合力Ｒがこのような領域１５内の着力点ｄを有していることを意味する。カップによって、胸部に加わる圧力の合力の着力点が領域１５内にあれば、把持作用が不十分になる危険が最少になることがわかった。
【００２４】
カップ１、２は胸部１２の両側部に接触する凹形の接触表面を有する。図１の装置においては、この凹形はカップ１、２の中心に貫通する水平平面に関し、ほぼ対称である。このことは、カップ１、２の上半分が下半分に対して鏡面対称であり、即ち、カップ１、２の中心に貫通する水平面が鏡であると仮定して、鏡に映し出された上半分の影像が、下半分に合致しており、従って、両方のカップ１、２は１個の同一のモールドによって造ることができ、製造コストを節約することができ利点である。図３から明らかなように、カップ１、２は僅かに、突出しており、従って、これ等のカップは人の背中を一層良く支持することができる。しかし、これ等のカップをこの分野の当業者に既知の任意他の形状にすることもできる。
【００２５】
各カップ１、２の回転軸線Ａ、Ｂは凹形の接触表面の中心が胸部１２に関して、軸線Ａ、Ｂの背後に、即ち、外側に位置するように選択される。このことは傾動軸線Ａ、Ｂは胸部１２に関して、カップ１、２の接触表面の中心の前方に、即ち、内側にあることを意味する。
【００２６】
傾動軸線Ａ、Ｂはカップ１、２に関して、水平中心位置に位置している。このことは、カップ１、２が図示のようなその中立の垂直位置にある場合、傾動軸線Ａ、Ｂの水平平面はカップ１、２をほぼ等しい高さの２個の半部に分割していることを意味する。しかし、傾動軸線Ａ、Ｂをカップ１、２の中心に関して、上げたり、又は下げたりしてもよい。
【００２７】
図１の装置は次のように作動する。人の体重がこの装置に加わった時、その体重はカップ１、２を相互に接近するように動かすように作用する。この作用は、カップ１、２を取り付けているアーム３、４の枢着懸垂構造によって達成される。これ等のカップは平均的な人の胸部に補足し合う丸くなった形状を有する。人を吊り上げるため、カップ１、２は人の胸１２に圧力を作用させる。この圧力は、カップ１、２と胸部１２との間の摩擦力が人に加わる地球の重力に打ち勝つのに十分であるような圧力であれば、人を吊り上げることができる。言い換えれば、人は脇の下の下方で、把持されてはいるが、脇の下の下方の部分に、人を上方に持ち上げる力を加えているのでなく、カップ１、２の表面と、胸部１２の表面との間の摩擦掛合によって、人を吊り上げているのである。脇の下の下方の部分で、人を上方に持ち上げる力を加えると、人をカップ１、２に懸垂することになり、人にとって苦痛であり、人の肩の強さが不十分であると、カップとカップとの間から、人が滑ることになる。
【００２８】
カップ１、２の相互に接近する運動は人の脚を懸垂している脚支持体１３、１４によって強められる。脚に加わる地球の重力の作用はカップ１、２を相互に接近するように動かす直接の力を発生させるから、把持力を増大させる。更に、脚支持体１３、１４は人の体重の一部をカップ１、２からアーム３、４の下端５、６に動かし、カップ１、２によって持ち上げるべき重量、従って、カップが胸部１２に加える圧力を減少させる。これにより、吊り上げられる人にとって、一層快適にすらさせる。
【００２９】
人を保持している時、カップに加わる力のバランスは次の通りである（図６参照）。
Ｒ・［ｃｅ］＝Ｗ・［ｂｃ］
ここに、Ｒはカップ１によって、胸部１２に作用する圧力の合力、［ｃｅ］＝［ａｄ］は合力Ｒの着力点と傾動軸線Ａとの間の距離、Ｗはカップ１によって、胸部１２に作用する摩擦力の合力、［ｂｃ］はＷの着力点と傾動軸線Ａとの間の距離である。
【００３０】
Ｒ、及びＷは静的バランス状態、即ち、安定した状態になるよう、それ自身が調整、即ち、自己調整するし、Ｒ、及びＷは計算することができる。その結果、距離［ｃｅ］、及び［ｂｃ］のうちの一方が設定されれば、他は固定した値になる。機構学の理論から、Ｗ≦Ｒの関係は一層知られており、従って［ｃｅ］≦［ｂｃ］である。
【００３１】
本発明によれば、胸部１２に掛合するカップ１の接触表面の少なくとも中心部、好適には接触表面の大部分、又は全部が胸部１２に関して、傾動軸線Ａの背後に、即ち外側に位置するように、カップ１の傾動軸線Ａは選択される。摩擦合力Ｗの着力点は通常、この軸線Ａの背後に、即ち外側に位置するが、また特に、カップ１の表面と軸線Ａとの間のどこかにある（図６を参照すればｂはａとｃとの間にある）。言い換えれば、距離［ｂｃ］は通常、正の値であり、従って、［ｃｅ］も正の値であり、Ｒは傾動軸線Ａの下方に、カップ１の下半分の中に、着力点ｄを有する。
【００３２】
言い換えれば、カップ１の傾動軸線Ａはカップ１の下半分によって、大部分の圧力が加えられるように選択される。このことは、カップ１の下半分は上半分よりも胸部１２に一層強く押し付けられ、それにより、人を一層良く把持することができ、利点である。
【００３３】
図５は圧力の合力Ｒの着力点が位置するのが好適なカップ１の接触表面上の領域１５を示している。図５における領域１５は任意に描かれ、圧力の合力Ｒの着力点について、最も適する領域の概念を与えるが、位置は人によって著しく変化するから、絶対的でないことを強調する。本発明によれば、領域１５はカップ１の回転軸線Ａの位置を適切に選択することから定まっている。図５に示すように、圧力の合力Ｒの着力点についての好適な領域１５はカップ１の中心の下、及び僅かに上に延在する中心領域である。
【００３４】
領域１５、即ちカップ１の中心部と、傾動軸線Ａとの間の距離［ａｃ］は0.5 ｃｍ〜５ｃｍが好適であり、１ｃｍ〜３ｃｍが一層好適である。
【図面の簡単な説明】
【００３５】
【図１】使用中の本発明装置の好適な実施例の斜視図を示す。
【図２】図１の実施例の斜視図を示す。
【図３】図１の実施例の下から見た平面図を示す。
【図４】図１の実施例の正面図を示す。
【図５】図１の実施例のカップの詳細を示す。
【図６】図１の実施例のカップに加わるモーメントのバランスを示す。
【符号の説明】
【００３６】
１、２  カップ
３、４  アーム
５、６  下端
７、８  上端
９  フック
１０  枢着点
１１  壁取付けアーム
１２  胸部
１３、１４  脚支持体
１５  領域
Ａ、Ｂ  傾動軸線
Ｃ  枢着軸線
Ｒ  合力
Ｗ  摩擦力の合力
ｃｅ、ａｄ  傾動軸線ＡとＲの着力点との間の距離
ｂｃ  傾動軸線ＡとＷとの着力点との間の距離
【図１】
2004351201.tif 000003
【図２】
2004351201.tif 000004
【図３】
2004351201.tif 000005
【図４】
2004351201.tif 000006
【図５】
2004351201.tif 000007
【図６】
2004351201.tif 000008